(57)【特許請求の範囲】
【請求項１】
ガスタービンからの排ガスをほぼ水平方向に流す煙道と、該煙道内に鉛直方向に伝熱面が向くように配置され、排ガスからの熱を回収する伝熱管群と、該伝熱管群に接続した上部管寄せと、該上部管寄せに連絡管を介して接続し、伝熱管群内の蒸気を含む水を一時的に溜める、煙道天井ケーシングの上部に配置された気水胴と、該気水胴内で蒸気から分離した水を再び伝熱管群に戻す降水管を備えた排熱回収ボイラにおいて、
降水管の下端を煙道床面で支持し、気水胴を降水管で支持し、気水胴と蒸発器管群上部管寄せ間の連絡管により蒸発器管群を吊り下げ、かつ、気水胴又は降水管を煙道天井ケーシングにより支持したことを特徴とする排熱回収ボイラ。
【請求項２】
伝熱管群の排ガス流れ方向の外周を囲む１段又は複数段の煙道床面上に自立させた、伝熱管群の水平方向の外力による撓みを支持する型枠とを備えたことを特徴とする請求項１記載の排熱回収ボイラ。
【請求項３】
気水胴と蒸発器管群上部管寄せ間の連絡管を煙道内に収納したことを特徴とする請求項１記載の排熱回収ボイラ。
【発明の詳細な説明】
【０００１】
【発明の属する技術分野】
本発明はガスタービンから排出する排ガスから熱を回収する排熱回収ボイラに係り、特に伝熱管群の支持構造を簡便にできる構造に関するものである。
【０００２】
【従来の技術】
従来の排熱回収ボイラの蒸発器管群の支持構造を図２に示す。図２に示す排熱回収ボイラはガスタービンから排出する排ガスの流路となる煙道を水平方向に設け、該煙道内に節炭器管群１５とそれより排ガス流れ上流側に蒸発器管群３を配置し、節炭器管群１５で発生した蒸気を含む水を煙道天井ケーシング１４の外側に配置した気水胴１に導き、該気水胴１で気水分離させ、蒸気から分離した水は降水管４を介して蒸発器管群３に戻し、さらに排ガスで加熱し、蒸気を含む水を気水胴１に送り、得られた蒸気を図示しない蒸気タービンで利用する。
【０００３】
図２に示すように、気水胴１はボイラ蒸発器管群３の近傍の煙道天井ケーシング１４の上に配置され、２本の降水管４によって支持される自立型構造を採用している。この気水胴１と降水管４のサポート構造は、煙道床６上の支持板７により降水管４を支持する構造であり、支持板７は煙道床６上において前後、左右ストッパー８により固定されている。降水管４の煙道天井ケーシング１４貫通部には振れ止め１３が取り付けられている。
【０００４】
また、排熱回収ボイラ本体の主要機器である蒸発器管群３の下部管寄せ５のサポート構造は各下部管寄せ５毎の自立型ボトムサポート構造である。この自立型ボトムサポート構造は、煙道床６上にボルト（図示せず）でストッパー８と一体化された受台９を備え、各々の下部管寄せ５は受台９に設置されている。下部管寄せ５と受台９の取合部の前後方向（ガスの流れ方向）は下部管寄せ用前後方向ストッパー８で支持され、左右方向（管寄せの軸方向）は、熱伸びを拘束しないようスライド構造としている。
【０００５】
【発明が解決しようとする課題】
このように、図２に示す気水胴１は降水管４を介して煙道床６の支持板７で支持されるが、蒸発器管群３は気水胴１の支持位置の前後（ガスの流れ）方向の煙道床６上に配置されているので蒸発器管群３の支持装置が前記支持板７以外に必要であり、かつ、気水胴１と蒸発器管群３の上部管寄せ１１との間の連絡管として長い上昇管２が必要となり、さらに煙道天井ケーシング１４の貫通部が多数あり、そのガスリーク防止構造が複雑となっている。
【０００６】
本発明の課題は上記従来技術の欠点を解消することを目的として気水胴と蒸発器管群の支持構造を簡易なものにして、煙道の天井ケーシングに多数貫通部を設けなくても良い排熱回収ボイラを提供することである。
【０００７】
【課題を解決するための手段】
本発明の目的は、降水管の下端を煙道床で支持し、煙道天井ケーシング上部の気水胴を、この降水管により支持し、気水胴と蒸発器管群上部管寄せ間の連絡管により蒸発器管群を吊り下げることにより、蒸発器管群の支持装置の簡素化を達成することができる。
【０００８】
すなわち本発明は、ガスタービンからの排ガスをほぼ水平方向に流す煙道と、該煙道内に鉛直方向に伝熱面が向くように配置され、排ガスからの熱を回収する伝熱管群と、該伝熱管群に接続した上部管寄せと、該上部管寄せに連絡管を介して接続し、伝熱管群内の蒸気を含む水を一時的に溜める、煙道天井ケーシングの上部に配置された気水胴と、該気水胴内で蒸気から分離した水を再び伝熱管群に戻す降水管を備えた排熱回収ボイラにおいて、降水管の下端を煙道床面で支持し、気水胴を降水管で支持し、気水胴と蒸発器管群上部管寄せ間の連絡管により蒸発器管群を吊り下げ、かつ、気水胴又は降水管を煙道天井ケーシングにより支持した排熱回収ボイラからなる。
【０００９】
【作用】
本発明により、排熱回収ボイラ蒸発器において、気水胴を降水管により支持し、気水胴と蒸発器管群を接続する上昇管により蒸発器管群を吊り下げることにより、煙道床上に設置する蒸発器管群支持装置を不要とすることができる。また、本発明の上記構成により従来技術のような多数の気水胴と蒸発器管群上部管寄せ間の連絡管の煙道天井ケーシングの貫通部毎にシール構造を設ける必要もなくなる。
【００１０】
本発明では煙道の天井ケーシングの貫通部が従来技術に比較して少ないので、シール構造もその分少なくてすみ、ガスリーク防止構造が簡易になる。
【００１１】
【発明の実施の形態】
本発明の実施の形態を図１を用いて説明する。図１において、図２の従来技術で説明した部材と同一機能を奏する部材は同一番号を付してその説明は省略することがある。
【００１２】
煙道天井ケーシング１４の外部に配置される気水胴１は、該気水胴１の底部に設けられる降水管４を介して煙道床６の床面により支持される。また、降水管４の煙道内のガス流れの前後方向に降水管４を中心とする対称位置に配置した蒸発器管群３は上昇管２により気水胴１の下面に吊り下げ支持される。
【００１３】
また、図２に示す従来の排熱回収ボイラでは上昇管２が煙道天井ケーシング１４を貫通して気水胴１に接続していたが、図１に示す本発明の排熱回収ボイラでは気水胴１の下半分と上昇管２及び降水管４を煙道内に収納し、煙道天井ケーシング１４の貫通部を無くした構造とする。
【００１４】
気水胴１の水平方向に作用する力については、煙道天井ケーシング１４の外側に設けられた振れ止め１３により気水胴１の側面を支持し、気水胴１と蒸発器管群３との熱伸びによる応力は蒸発器下部管寄せ５と降水管４の下端部とを接続する折り曲げ形状の供水管１２により吸収する。
【００１５】
さらに、１段又は複数段の蒸発器管群３の水平方向（ガス流れ方向）外周を、煙道床６から自立させた型枠１０で囲み、蒸発器管群３の水平方向の外力による撓みを支持する。
【００１６】
【発明の効果】
本発明により、簡易な構造で蒸発器管群を煙道内に吊り下げることができるので、煙道床上に設置する蒸発器管群支持装置を不要とすることができ、また、従来技術のような多数の気水胴と蒸発器管群上部管寄せ間の連絡管に煙道天井ケーシングの貫通部毎のシール構造を設ける必要もなくなり、ガスリーク防止構造が簡易になる。
【図面の簡単な説明】
【図１】  本発明による排熱回収ボイラの蒸発器支持構造図である。
【図２】  従来技術による排熱回収ボイラの蒸発器支持構造図である。
【符号の説明】
１  気水胴                ２  上昇管
３  蒸発器管群            ４  降水管
５  蒸発器下部管寄せ      ６  煙道床
７  支持板                ８  ストッパー
９  受台                  １０  型枠
１１  蒸発器上部管寄せ    １２  供水管
１３  振れ止め            １４  ケーシング
１５  節炭器管群
【図１】
0004179433.tif 000002
【図２】
0004179433.tif 000003